(57)【要約】  【課題】微細かつ均一な粒径を有する品質の高い微粒子を高い生産性で得ることができる微粒子の製造方法と装置を提供する。  【解決手段】微粒子製造用材料をスラリー，溶液または粉末として分散させた状態で熱プラズマ炎中に導入し、蒸発させて気相状態の混合物として、熱プラズマ炎の尾部に向かって射出する気体により上記気相状態の混合物を急冷し、また、生成した微粒子同士が衝突することで凝集するのを上記気体で希釈することで防止することにより、粒径が微細かつ均一で品質の良い微粒子を高い生産性で製造することを可能とした微粒子の製造方法、およびこれを具体化した装置。【選択図】図１
2006247446.tif 000002
【特許請求の範囲】
【請求項１】
微粒子製造用材料を熱プラズマ炎中に導入することにより気相状態の混合物にし、
この気相状態の混合物を急冷するのに十分な供給量で、気体を、前記熱プラズマ炎の尾部（終端部）に向けて導入することにより微粒子を製造することを特徴とする微粒子の製造方法。
【請求項２】
前記微粒子製造用材料を熱プラズマ炎中に導入する過程が、
前記微粒子製造用材料を分散媒中に分散させてスラリーにし、
このスラリーを液滴化させて前記熱プラズマ炎中に導入するものである請求項１に記載の微粒子の製造方法。
【請求項３】
前記微粒子製造用材料を熱プラズマ炎中に導入する過程が、
前記微粒子製造用材料を可燃性材料中に分散させてスラリーとし、
このスラリーを液滴化させて前記熱プラズマ炎中に導入するものである請求項１に記載の微粒子の製造方法。
【請求項４】
前記微粒子製造用材料を熱プラズマ炎中に導入する過程が、
前記微粒子製造用材料を分散媒と可燃性材料とを用いて分散させてスラリーにし、
このスラリーを液滴化させて前記熱プラズマ炎中に導入するものである請求項１に記載の微粒子の製造方法。
【請求項５】
前記微粒子製造用材料を熱プラズマ炎中に導入する過程が、
前記微粒子製造用材料を分散媒中に分散させた後、さらに可燃性材料を加えてスラリーにし、
このスラリーを液滴化させて前記熱プラズマ炎中に導入するものである請求項１に記載の微粒子の製造方法。
【請求項６】
前記微粒子製造用材料を熱プラズマ炎中に導入する過程が、
前記微粒子製造用材料を分散媒中に懸濁させてコロイド溶液とし、
このコロイド溶液を液滴化させて前記熱プラズマ炎中に導入するものである請求項１に記載の微粒子の製造方法。
【請求項７】
前記微粒子製造用材料を熱プラズマ炎中に導入する過程が、
前記微粒子製造用材料を可燃性材料中に懸濁させてコロイド溶液とし、
このコロイド溶液を液滴化させて前記熱プラズマ炎中に導入するものである請求項１に記載の微粒子の製造方法。
【請求項８】
前記微粒子製造用材料を熱プラズマ炎中に導入する過程が、
前記微粒子製造用材料を分散媒と可燃性材料中に懸濁させてコロイド溶液とし、
このコロイド溶液を液滴化させて前記熱プラズマ炎中に導入するものである請求項１に記載の微粒子の製造方法。
【請求項９】
前記微粒子製造用材料を熱プラズマ炎中に導入する過程が、
前記微粒子製造用材料を分散媒中に懸濁させた後、さらに可燃性材料を加えてコロイド溶液とし、
このコロイド溶液を液滴化させて前記熱プラズマ炎中に導入するものである請求項１に記載の微粒子の製造方法。
【請求項１０】
前記微粒子製造用材料を熱プラズマ炎中に導入する過程が、
前記微粒子製造用材料を溶媒中に溶解させて溶液にし、
この溶液を液滴化させて前記熱プラズマ炎中に導入するものである請求項１に記載の微粒子の製造方法。
【請求項１１】
前記微粒子製造用材料を熱プラズマ炎中に導入する過程が、
前記微粒子製造用材料を可燃性材料を用いて溶解させて溶液とし、
この溶液を液滴化させて前記熱プラズマ炎中に導入するものである請求項１に記載の微粒子の製造方法。
【請求項１２】
前記微粒子製造用材料を熱プラズマ炎中に導入する過程が、
前記微粒子製造用材料を溶媒と可燃性材料とを用いて溶解させて溶液とし、
この溶液を液滴化させて前記熱プラズマ炎中に導入するものである請求項１に記載の微粒子の製造方法。
【請求項１３】
前記微粒子製造用材料を熱プラズマ炎中に導入する過程が、
前記微粒子製造用材料を溶媒中に溶解させた後、さらに可燃性材料を加えて溶液とし、
この溶液を液滴化させて前記熱プラズマ炎中に導入するものである請求項１に記載の微粒子の製造方法。
【請求項１４】
前記微粒子製造用材料を分散させて熱プラズマ炎中に導入する過程が、
前記微粒子製造用材料をキャリアガスを用いて分散させ、
この分散させた微粒子製造用材料を前記熱プラズマ炎中に導入するものである請求項１に記載の微粒子の製造方法。
【請求項１５】
前記微粒子製造用材料を分散させて熱プラズマ炎中に導入する過程が、
前記微粒子製造用材料をキャリアガスと可燃性材料とを用いて分散させ、
この分散させた微粒子製造用材料を前記熱プラズマ炎中に導入するものである請求項１に記載の微粒子の製造方法。
【請求項１６】
前記可燃性材料は、前記熱プラズマ炎を安定化させる作用を有するものである請求項３〜５，７〜９，１１〜１３または１５のいずれかに記載の微粒子の製造方法。
【請求項１７】
前記スラリーに、界面活性剤，高分子，カップリング剤よりなる群より選ばれる１種または２種以上の混合物を添加する請求項２〜５のいずれかに記載の微粒子の製造方法。
【請求項１８】
前記コロイド溶液に、界面活性剤，高分子，カップリング剤よりなる群より選ばれる１種または２種以上の混合物を添加する請求項６〜９のいずれかに記載の微粒子の製造方法。
【請求項１９】
前記溶液に、界面活性剤，高分子，カップリング剤よりなる群より選ばれる１種または２種以上の混合物を添加する請求項１０〜１３のいずれかに記載の微粒子の製造方法。
【請求項２０】
前記分散させた微粒子製造用材料に、界面活性剤，高分子，カップリング剤よりなる群より選ばれる１種または２種以上の混合物を添加する請求項１４または１５に記載の微粒子の製造方法。
【請求項２１】
前記微粒子製造用材料を構成する成分は、原子番号３〜６，１１〜１５，１９〜３４，３７〜５２，５５〜６０，６２〜７９および８１〜８３の元素よりなる群から選ばれる少なくとも１種を含む、単体酸化物，複合酸化物，複酸化物，酸化物固溶体，金属，合金，水酸化物，炭酸化合物，ハロゲン化物，硫化物，窒化物，炭化物，水素化物，金属塩または金属有機化合物である請求項１〜２０のいずれかに記載の微粒子の製造方法。
【請求項２２】
微粒子製造用材料を分散させて熱プラズマ炎中に供給する材料供給手段と、
熱プラズマ炎を発生させて、前記微粒子製造用材料を蒸発させ気相状態の混合物にする、前記材料供給手段と接続されたプラズマトーチと、
前記気相状態の混合物を急冷するのに必要な空間を形成する、前記プラズマトーチと接続された冷却室とを有する微粒子製造装置であって、
前記気相状態の混合物を急冷するのに十分な供給量で、気体を、前記熱プラズマ炎の尾部（終端部）に向かって導入する気体供給手段を有することを特徴とする微粒子製造装置。
【請求項２３】
前記材料供給手段は、
前記微粒子製造用材料を分散させたスラリーを調製・貯蔵する材料調製手段と、
前記スラリーを前記プラズマトーチ内部の前記熱プラズマ炎中に噴霧するための、前記材料調製手段に接続される噴霧手段とを有する請求項２２に記載の微粒子製造装置。
【請求項２４】
前記材料供給手段は、
前記微粒子製造用材料を懸濁させたコロイド溶液を調製・貯蔵する材料調製手段と、
前記コロイド溶液を前記プラズマトーチ内部の前記熱プラズマ炎中に噴霧するための、前記材料調製手段に接続される噴霧手段とを有する請求項２２に記載の微粒子製造装置。
【請求項２５】
前記材料供給手段は、
前記微粒子製造用材料を溶解させた溶液を調製・貯蔵する材料調製手段と、
前記溶液を前記プラズマトーチ内部の前記熱プラズマ炎中に噴霧するための、前記材料調製手段に接続される噴霧手段とを有する請求項２２に記載の微粒子製造装置。
【請求項２６】
前記材料供給手段が、
前記微粒子製造用材料としての粉末材料を、その貯蔵手段から送り出す粉末材料供給手段と、
この粉末材料供給手段から供給された粉末材料を分散して前記プラズマトーチ内部の前記熱プラズマ炎中に供給するための、前記粉末材料供給手段に接続される気体搬送手段とを有する請求項２２に記載の微粒子製造装置。
【発明の詳細な説明】
【技術分野】
【０００１】
本発明は、熱プラズマ法を用いる微粒子の製造方法および装置に関し、詳しくは、微細かつ均一な粒径を有する品質の高い微粒子を高い生産性で得ることができる微粒子の製造方法と装置に関するものである。
【背景技術】
【０００２】
酸化物微粒子，窒化物微粒子，炭化物微粒子等の微粒子は、半導体基板，プリント基板，各種電気絶縁部品などの電気絶縁材料や、ダイス，軸受などの高硬度・高精度の機械工作材料や、粒界コンデンサ，湿度センサなどの機能性材料、精密焼結成形材料などの焼結体の製造や、エンジンバルブなどのような高温耐摩耗性が要求される材料などの溶射部品製造、さらには燃料電池の電極や電解質材料および各種触媒などの分野で用いられている。このような微粒子を用いることにより、焼結体や照射部品などにおける異種セラミックス同士や異種金属同士の接合強度や緻密性、あるいは機能性を向上させている。
【０００３】
このような微粒子を製造する方法の一つに、気相法がある。気相法には、各種のガス等を高温で化学反応させる化学的方法と、電子やレーザなどのビームを照射して物質を分解・蒸発させ、微粒子を生成する物理的方法とがある。
【０００４】
上記気相法の中の一つとして、熱プラズマ法がある。熱プラズマ法は、熱プラズマ中で原材料を瞬時に蒸発させた後、急冷凝固させ、微粒子を製造する方法であり、また、クリーンで生産性が高く、高温で熱容量が大きいため高融点材料にも対応可能であり、他の気相法に比べて複合化が比較的容易であるといった多くの利点を有する。このため、熱プラズマ法は、微粒子を製造する方法として積極的に利用されている。
【０００５】
特許文献１には、粉末状にされた原材料を熱プラズマ炎中に導入する従来技術に関し、金属微粒子と被覆層との両粉末材料を複合化し、原材料混合物を不活性または還元性雰囲気の熱プラズマ（熱プラズマ炎）中に供給して原材料を蒸発させて気相状態の混合物にした後、この混合物を急冷して、酸化物金属被覆微粒子を製造する方法が開示されている。
【０００６】
【特許文献１】特開２０００−２１９９０１号公報
【発明の開示】
【発明が解決しようとする課題】
【０００７】
上述の特許文献１に記載された微粒子の製造方法では、気相状態となった混合物を、プラズマガス，キャリアガスおよび粉末原材料に由来するガスとともに、熱プラズマ炎から十分に離し、上記気相状態の混合物を冷却する急冷管に導くことで気相状態となった混合物を冷却している。また、上述の気相状態の混合物をプラズマ炎から十分に離す過程において、上記急冷管の手前に中間冷却手段を設けて、上記気相状態の混合物を冷却することが示されている。
【０００８】
しかしながら、上述した従来の冷却方法では、気相状態となった混合物を均一に冷却することが難しく、生成される微粒子の粒径や形状が不均一になりやすい。また、生成した直後の微粒子同士が衝突して凝集しやすく、これは、微粒子の粒径や形状の均一性に悪影響を及ぼしている。また、上記冷却方法では、その冷却能力が、プラズマガス，キャリアガスおよび粉末原材料に由来するガスの量に依存しており、上記のガスの量を一定の量に保つのは困難である。従って、この冷却方法では、生成される微粒子の粒子径および粒径の均一性を制御することは難しかった。
【０００９】
本発明の目的は、本発明者らの先願である特願２００３−４１５５６０号「微粒子及びその製造方法」に記載された微粒子の製造方法および装置における、気相状態の混合物を急冷する過程にさらなる改良を加えることによって、上記特願２００３−４１５５６０号における目的と同様に、微細かつ均一な粒径を有する品質の高い微粒子を高い生産性で得ることができる微粒子の製造方法と装置を提供することにある。
【課題を解決するための手段】
【００１０】
上記の課題を解決するために、本発明に係る微粒子製造方法は、請求項１に記載したように、微粒子製造用材料を分散させて熱プラズマ炎中に導入し、前記微粒子製造用材料を蒸発させ気相状態の混合物にし、この気相状態の混合物を急冷するのに十分な供給量で、気体を、前記熱プラズマ炎の尾部（終端部）に向けて導入することにより微粒子を製造することを特徴とする。
【００１１】
ここで、前記微粒子製造用材料を分散させて熱プラズマ炎中に導入する過程は、前記微粒子製造用材料を分散媒中に分散させてスラリーにし、このスラリーを液滴化させて前記熱プラズマ炎中に導入するものであること（請求項２参照）、もしくは、前記微粒子製造用材料を可燃性材料を用いて分散させてスラリーにし、このスラリーを液滴化させて前記熱プラズマ炎中に導入するものであること（請求項３参照）、もしくは、前記微粒子製造用材料を分散媒と可燃性材料とを用いて分散させてスラリーにし、このスラリーを液滴化させて前記熱プラズマ炎中に導入するものであること（請求項４参照）、もしくは、前記微粒子製造用材料を分散媒中に分散させた後、さらに可燃性材料を加えてスラリーにし、このスラリーを液滴化させて前記熱プラズマ炎中に導入するものであること（請求項５参照）が好ましい。
【００１２】
また、前記微粒子製造用材料を分散させて熱プラズマ炎中に導入する過程が、前記微粒子製造用材料を分散媒中に懸濁させてコロイド溶液とし、このコロイド溶液を液滴化させて前記熱プラズマ炎中に導入するものであること（請求項６参照）、もしくは、前記微粒子製造用材料を可燃性材料中に懸濁させてコロイド溶液とし、このコロイド溶液を液滴化させて前記熱プラズマ炎中に導入するものであること（請求項７参照）、もしくは、前記微粒子製造用材料を分散媒と可燃性材料中に懸濁させてコロイド溶液とし、このコロイド溶液を液滴化させて前記熱プラズマ炎中に導入するものであること（請求項８参照）、もしくは、前記微粒子製造用材料を分散媒中に懸濁させた後、さらに可燃性材料を加えてコロイド溶液とし、このコロイド溶液を液滴化させて前記熱プラズマ炎中に導入するものであること（請求項９参照）が好ましい。
【００１３】
また、前記微粒子製造用材料を分散させて熱プラズマ炎中に導入する過程が、前記微粒子製造用材料を溶媒中に溶解させて溶液にし、この溶液を液滴化させて前記熱プラズマ炎中に導入するものであること（請求項１０参照）、もしくは、前記微粒子製造用材料を可燃性材料を用いて溶解させて溶液とし、この溶液を液滴化させて前記熱プラズマ炎中に導入するものであること（請求項１１参照）、もしくは、前記微粒子製造用材料を溶媒と可燃性材料とを用いて溶解させて溶液とし、この溶液を液滴化させて前記熱プラズマ炎中に導入するものであること（請求項１２参照）、もしくは、前記微粒子製造用材料を溶媒中に溶解させた後、さらに可燃性材料を加えて溶液とし、この溶液を液滴化させて前記熱プラズマ炎中に導入するものであること（請求項１３参照）が好ましい。
【００１４】
またさらに、前記微粒子製造用材料を分散させて熱プラズマ炎中に導入する過程が、前記微粒子製造用材料をキャリアガスを用いて分散させ、この分散させた微粒子製造用材料を前記熱プラズマ炎中に導入するものであること（請求項１４参照）、もしくは、前記微粒子製造用材料をキャリアガスと可燃性材料とを用いて分散させ、この分散させた微粒子製造用材料を前記熱プラズマ炎中に導入するものであること（請求項１５参照）が好ましい。
【００１５】
本明細書中でいうスラリーとコロイド溶液並びに溶液の定義としては、液体中に普通の光学顕微鏡では認められないが、原子あるいは低分子よりは大きい固体粒子が分散した状態にあるものをコロイド溶液（ゾルとも呼ばれる）、これより大きい粒子、すなわち普通の光学顕微鏡で見える程度の大きさの粒子が分散した状態にあるものをスラリーとし、また、イオン化している状態にあるものを、過飽和状態となって析出物が存在している状態をも含めて溶液と、それぞれ呼んでいる。しかしながら、本発明は、このような分散状態の如何に関わるものではなく、要は、微粒子を形成するための前駆体を含めた微粒子製造用材料またはその分解物が、何らかの状態で気体を含めた分散媒中に分散している状態を出発状態とするものである。
【００１６】
なお、前記可燃性材料は、熱プラズマ炎の温度を上昇させるとともに、前記熱プラズマ炎を安定化させる作用を有すること（請求項１６参照）が好ましい。なお、この可燃性材料としては、液体状または固体状の各種のものが使用可能である。固体状の可燃性材料を使用する場合は、固体状の可燃性材料を溶媒（溶媒として用いられている可燃性材料を含む）中に分散ないし溶解させて用いることが好ましい。
【００１７】
また、前記スラリー，コロイド溶液，溶液および分散させた微粒子製造用材料に、界面活性剤，高分子，カップリング剤よりなる群より選ばれる１種または２種以上の混合物を添加すること（請求項１７〜２０参照）が好ましい。
さらに、前記微粒子製造用材料を構成する成分は、原子番号３〜６，１１〜１５，１９〜３４，３７〜５２，５５〜６０，６２〜７９および８１〜８３の元素よりなる群から選ばれる少なくとも１種を含む、単体酸化物，複合酸化物，複酸化物，酸化物固溶体，金属，合金，水酸化物，炭酸化合物，ハロゲン化物，硫化物，窒化物，炭化物，水素化物，金属塩または金属有機化合物であること（請求項２１参照）が好ましい。
【００１８】
一方、本発明に係る微粒子製造装置は、請求項２２に記載したように、微粒子製造用材料を分散させて熱プラズマ炎中に供給する材料供給手段と、熱プラズマ炎を発生させて、前記微粒子製造用材料を蒸発させ気相状態の混合物にする、前記材料供給手段と接続されたプラズマトーチと、前記気相状態の混合物を急冷するのに必要な空間を形成する、前記プラズマトーチと接続された冷却室とを有する微粒子製造装置であって、前記気相状態の混合物を急冷するのに十分な供給量で、気体を、前記熱プラズマ炎の尾部（終端部）に向かって導入する気体供給手段を有することを特徴とする。
【００１９】
ここで、前記材料供給手段は、前記微粒子製造用材料を分散させたスラリーを調製・貯蔵する材料調製手段と、前記スラリーを前記プラズマトーチ内部の前記熱プラズマ炎中に噴霧するための、前記材料調製手段に接続される噴霧手段とを有すること（請求項２３参照）、もしくは、前記微粒子製造用材料を懸濁させたコロイド溶液を調製・貯蔵する材料調製手段と、前記コロイド溶液を前記プラズマトーチ内部の前記熱プラズマ炎中に噴霧するための、前記材料調製手段に接続される噴霧手段とを有すること（請求項２４参照）が好ましい。
【００２０】
また、もしくは、前記材料供給手段は、前記微粒子製造用材料を溶解させた溶液を調製・貯蔵する材料調製手段と、前記溶液を前記プラズマトーチ内部の前記熱プラズマ炎中に噴霧するための、前記材料調製手段に接続される噴霧手段とを有すること（請求項２５参照）、もしくは、前記微粒子製造用材料としての粉末材料を、その貯蔵手段から送り出す粉末材料供給手段と、この粉末材料を、キャリアガスにより分散して前記プラズマトーチ内部の前記熱プラズマ炎中に供給するための、前記粉末材料供給手段に接続される気体搬送手段とを有すること（請求項２６参照）が好ましい。
【００２１】
なお、本発明に係る微粒子製造方法において、前記冷却室内に導入する気体の、前記気相状態の混合物を急冷するのに十分な供給量とは、例えば、前記気相状態の混合物を急冷するのに必要な空間を形成する冷却室内に導入する気体の冷却室（チャンバ）内における平均流速（以下、チャンバ内流速とよぶ）を、０．００１〜６０ｍ／ｓｅｃとすることが好ましく、０．５〜１０ｍ／ｓｅｃとすることがより好ましい。
【００２２】
また、前記気体の前記冷却室内への導入方向としては、前記冷却室内において、熱プラズマ炎の尾部（終端部）に対して、垂直上方を０°とした場合の角度αが９０°＜α＜２４０°（より好ましくは１００°＜α＜１８０°）の範囲、気体射出口から見た熱プラズマ炎の方向を０°とした場合の角度βが−９０°＜β＜９０°（より好ましくは−４５°＜β＜９０°）の範囲であるのがよい。
【発明の効果】
【００２３】
本発明に係る微粒子の製造方法によれば、熱プラズマ炎中で蒸発して気相状態となった微粒子製造用材料を急冷することができ、それにより微細かつ均一な粒径を有する品質の高い微粒子を高い生産性で製造することが可能になる。
【００２４】
なお、本発明に係る微粒子製造方法によれば、高温状態で安定な結晶相をもつ微粒子を従来よりも多い割合で製造することも可能である。周知のように、結晶構造が変われば物性や特性が変化し、従来とは異なる価値を有するものが製造できるので、この効果は、新規な材料の製造が可能になるということに他ならない。
【発明を実施するための最良の形態】
【００２５】
〔第一の実施形態〕
本発明に係る微粒子の製造方法を実施するための第一の実施形態として、スラリーを用いて微粒子を製造する方法およびそれに用いる製造装置について、添付の図面を用いて以下に説明する。
【００２６】
図１は、本発明の一実施形態に係る微粒子の製造方法を実施するための微粒子製造装置１０の全体構成を示す模式図である。また、図２は、図１中に示したプラズマトーチ１２付近の部分拡大図である。また、図３は、図１中に示したチャンバ１６の天板１７、およびこの天板１７に備えられた気体射出口２８ａおよび気体射出口２８ｂ付近を拡大した断面図である。
【００２７】
図１に示す微粒子製造装置１０は、熱プラズマ炎を発生させるプラズマトーチ１２と、微粒子製造用材料をプラズマトーチ１２内へ供給する材料供給装置１４と、微粒子１８を生成するための冷却槽としての機能を有するチャンバ１６と、生成した微粒子１８を回収する回収部２０と、冷却用の気体をチャンバ１６内に導入し、熱プラズマ炎２４に向けて射出する気体導入装置２８とを含んで構成されている。
【００２８】
図２に示すプラズマトーチ１２は、石英管１２ａと、その外側を取り巻く高周波発振用コイル１２ｂとで構成されている。プラズマトーチ１２の上部には、微粒子製造用材料とキャリアガスとをプラズマトーチ１２内に導入するための後述する導入管１４ｆがその中央部に設けられており、プラズマガス導入口１２ｃがその周辺部（同一円周上）に形成されている。
【００２９】
プラズマガスは、プラズマガス供給源２２からプラズマガス導入口１２ｃへ送り込まれる。プラズマガスとしては、例えばアルゴン、窒素、水素、酸素等が挙げられる。プラズマガス供給源２２には、例えば２種類のプラズマガスが準備されている。プラズマガスは、プラズマガス供給源２２からリング状のプラズマガス導入口１２ｃを介して、矢印Ｐで示されるようにプラズマトーチ１２内に送り込まれる。そして、高周波発振用コイル１２ｂに高周波電流が供給されて、熱プラズマ炎２４が発生する。
【００３０】
なお、石英管１２ａの外側は、同心円状に形成された管（図示されていない）で囲まれており、この管と石英管１２ａとの間に冷却水を循環させて石英管１２ａを水冷し、プラズマトーチ１２内で発生した熱プラズマ炎２４により石英管１２ａが高温になりすぎるのを防止している。
【００３１】
材料供給装置１４は、管２６と導入管１４ｆを介してプラズマトーチ１２の上部に接続され、微粒子製造用材料を分散させてプラズマトーチ１２内へ導入する。本態様では、スラリーにした粉末材料を用いる。すなわち、粉末状にされた微粒子製造用材料（以下、これを粉末材料という）を分散媒中に入れて攪拌することにより調製されたスラリー１４ａが、材料供給装置１４から供給される。
【００３２】
材料供給装置１４は、スラリー１４ａを入れる容器１４ｂと、容器１４ｂ中のスラリー１４ａを攪拌する攪拌機１４ｃと、導入管１４ｆを介してスラリー１４ａに高圧をかけプラズマトーチ１２内に供給するためのポンプ１４ｄと、スラリー１４ａをプラズマトーチ１２内へ噴霧するための噴霧ガスを供給する噴霧ガス供給源１４ｅと、スラリーを液滴化しプラズマトーチ内部に導入する導入管１４ｆとを含み構成されている。
【００３３】
押し出し圧力をかけられた噴霧ガスが、噴霧ガス供給源１４ｅからスラリー１４ａと共に、図２中に矢印Ｇで示されるように導入管１４ｆを介してプラズマトーチ１２内の熱プラズマ炎２４中へ供給される。導入管１４ｆは、スラリーをプラズマトーチ内の熱プラズマ炎２４中に噴霧し液滴化するための二流体ノズル機構を有しており、これにより、スラリー１４ａをプラズマトーチ１２内の熱プラズマ炎２４中に噴霧する、つまり、スラリー１４ａを液滴化させることができる。噴霧ガスにはアルゴン，窒素，水素，酸素，空気等が単独または適宜組み合わせて用いられる。
【００３４】
このように、二流体ノズル機構は、スラリーに高圧をかけ、気体である噴霧ガスによりスラリーを噴霧することができ、スラリーを液滴化させるための一つの方法として用いられる。なお、本実施形態では二流体ノズル機構を用いたが、一流体ノズル機構を用いてもよい。さらに他の方法として、例えば、回転している円板上にスラリーを一定速度で落下させて遠心力により液滴化する（液滴を形成する）方法、スラリー表面に高い電圧を印加して液滴化する（液滴を発生させる）方法等が考えられる。
【００３５】
一方、図１に示したように、チャンバ１６がプラズマトーチ１２の下方に隣接して設けられている。プラズマトーチ１２内の熱プラズマ炎２４中に噴霧されたスラリー１４ａは、蒸発して気相状態の混合物になり、その直後に上記気相状態の混合物がチャンバ１６内で急冷され、微粒子１８が生成される。つまり、チャンバ１６は冷却槽としての機能を有する。
【００３６】
ところで、本発明に係る微粒子製造装置は、上記気相状態の混合物を急冷することを主たる目的とする気体導入装置を備えることを特徴としている。以下、この気体導入装置について説明する。
【００３７】
図１，図３に示す気体導入装置２８は、熱プラズマ炎２４の尾部に向かって、前述のような所定の角度で気体を射出する気体射出口２８ａと、チャンバ１６の側壁に沿って上方から下方に向かって気体を射出する気体射出口２８ｂと、チャンバ１６内に導入される気体に押し出し圧力をかけるコンプレッサ２８ｃと、チャンバ１６内に導入される上記気体の供給源２８ｄと、それらを接続する管２８ｅとから構成されている。
なお、コンプレッサ２８ｃと気体供給源２８ｄは、管２８ｅを介してチャンバ１６の天板１７に接続されている。ここで、熱プラズマ炎の尾部とは、プラズマガス導入口１２ｃと反対側の熱プラズマ炎の端、つまり、熱プラズマ炎の終端部である。
【００３８】
図３に示すように、気体射出口２８ａと２８ｂとは、チャンバ１６の天板１７に形成されている。ここで、天板１７は、円錐台形状で上側の一部が円柱である内側部天板部品１７ａと、円錐台形状の孔を有する下部天板部品１７ｂと、内側部天板部品１７ａを垂直に移動させる移動機構を有する上部外側部天板部品１７ｃとを含み構成されている。
【００３９】
ここで、内側部天板部品１７ａと上部外側部天板部品１７ｃとが接する部分（内側部天板部品１７ａでは上部の円柱部分）にはネジが切ってあり、内側部天板部品１７ａが、回転することで垂直方向に位置を変えることができ、内側部天板部品１７ａは、下部天板部品１７ｂとの距離を調節できる。また、内側部天板部品１７ａの円錐部分の勾配と、下部天板部品１７ｂが有する孔の円錐部分の勾配は同一であり、お互いがかみ合う構造になっている。
【００４０】
また、気体射出口２８ａとは、内側部天板部品１７ａと下部天板部品１７ｂとが形成した間隙、つまり、スリット幅が調節可能であって、天板と同心である円周状に形成されたスリットである。ここで、気体射出口２８ａは、熱プラズマ炎２４の尾部に向かって気体を射出することができる形状であればよく、上述のようなスリット形状に限定されるものではなく、例えば、円周上に多数の孔を配したものでもよい。
【００４１】
また、上部外側部天板部品１７ｃの内部には、管２８ｅを介して送られる気体が通過するための通気路１７ｄが設けられる。上記気体は、通気路１７ｄを通過し、上述した内側部天板部品１７ａと下部天板部品１７ｂとが形成するスリットである気体射出口２８ａに送られる。気体射出口２８ａに送られた気体は、図１および図３中の矢印Ｑで示される方向に、熱プラズマ炎の尾部（終端部）に向かって、前述のように、所定の供給量および所定の角度で射出される。
【００４２】
ここで、上記所定の供給量について説明する。前述のように（段落００１７参照）、前記気相状態の混合物を急冷するのに十分な供給量とは、例えば、前記気相状態の混合物を急冷するのに必要な空間を形成するチャンバ内に導入する気体のチャンバ１６内における平均流速（チャンバ内流速）を、０．００１〜６０ｍ／ｓｅｃとすることが好ましく、０．５〜１０ｍ／ｓｅｃとすることがより好ましい。これは、熱プラズマ炎２４中に噴霧されたスラリーからなる気相状態の混合物を急冷し微粒子を生成させ、生成した微粒子同士の衝突による凝集を防止するのに十分な気体の供給量である。
【００４３】
なお、この供給量は、気相状態の混合物を急冷して凝固させるのに十分な量であり、また、凝固し生成した直後の微粒子同士が衝突することで凝集しないように気相状態の混合物を希釈するのに十分な量である必要があり、チャンバ１６の形状や大きさによりその値を適宜定めるのがよい。
ただし、この供給量は、熱プラズマ炎の安定を妨げることのないように制御されることが好ましい。
【００４４】
次に、図４を用いて、気体射出口２８ａがスリット形状の場合における、上記所定の角度について説明する。図４（ａ）に、チャンバ１６の天板１７の中心軸を通る垂直方向の断面図を、また、図４(ｂ)に、天板１７を下方から見た図を示す。なお、図４（ｂ）には、図４（ａ）に示した断面に対して垂直な方向が示されている。ここで、図４中に示す点Ｘは、通気路１７ｄを介して気体供給源２８ｄ（図１参照）から送られた気体が、気体射出口２８ａからチャンバ１６内部へ射出される射出点である。実際は、気体射出口２８ａが円周状のスリットであるため、射出時の気体は帯状の気流を形成している。従って、点Ｘは仮想的な射出点である。
【００４５】
図４（ａ）に示すように、通気路１７ｄの開口部の中心を原点として、垂直上方を０°、紙面で反時計周りに正の方向をとり、矢印Ｑで示される方向に気体射出口２８ａから射出される気体の角度を角度αで表す。この角度αは、上述した、熱プラズマ炎の初部から尾部(終端部)への方向に対する角度である。
【００４６】
また、図４（ｂ）に示すように、上記仮想的な射出点Ｘを原点として、熱プラズマ炎２４の中心に向かう方向が０°、紙面で反時計回りを正の方向として、熱プラズマ炎２４の初部から尾部(終端部)への方向に対して垂直な面方向における、矢印Ｑで示される方向に気体射出口２８ａから射出される気体の角度を角度βで表す。この角度βは、上述した、熱プラズマ炎の初部から尾部(終端部)への方向に対して直行する面内で、熱プラズマ炎の中心部に対する角度である。
【００４７】
上述した角度α（通常は垂直方向の角度）および角度β(通常は水平方向の角度)を用いると、前記所定の角度、すなわち、前記気体の前記チャンバ内への導入方向は、前記チャンバ１６内において、熱プラズマ炎２４の尾部（終端部）に対して、角度αが９０°＜α＜２４０°（好ましくは１００°＜α＜１８０°の範囲、より好ましくはα＝１３５°）、角度βが−９０°＜β＜９０°（好ましくは−４５°＜β＜４５°の範囲、より好ましくはβ＝０°）であるのがよい。
【００４８】
上述したように、熱プラズマ炎２４に向かって所定の供給量および所定の角度で射出された気体により、上記気相状態の混合物が急冷され、微粒子１８が生成される。上述の所定の角度でチャンバ１６内部に射出された気体は、チャンバ１６内部に発生する乱流等の影響により必ずしもその射出された角度で熱プラズマ炎２４の尾部に到達するわけではないが、気相状態の混合物の冷却を効果的に行い、かつ熱プラズマ炎２４を安定させて効率よく微粒子製造装置１０を動作させるためには、上記角度に決定するのが好ましい。なお、上記角度は、装置の寸法，熱プラズマ炎の大きさ等の条件を考慮して、実験的に決定すればよい。
【００４９】
一方、気体射出口２８ｂは、下部天板部品１７ｂに形成されたスリットである。気体射出口２８ｂは、生成した微粒子がチャンバ１６内壁へ付着することを防止するために、チャンバ１６の側壁に沿って上方から下方に向かって射出される気体の射出口である。気体射出口２８ｂは、チャンバ１６の側壁の付近に配置されており、かつ、天板１７と同心である、円周状に形成されたスリットである。ただし、上記の目的を十分に達成するスリットの形状、つまり、気体射出口２８ｂから射出された気体によって作られる気流がチャンバ１６の側壁を被うことによって、微粒子がチャンバ１６内部に付着するのを防止することができるスリットの形状であれば、上記の限りではない。
【００５０】
気体供給源２８ｄから矢印Ｓで示されるように管２８ｅを介して天板１７（詳しくは、下部天板部品１７ｂ、および上部外側部天板部品１７ｃ）内に導入された気体の一部は、通気路１７ｄを介して気体射出口２８ｂからチャンバ１６の側壁に沿って、図１に示す矢印Ｒの方向に射出される。気体射出口２８ｂから射出される気体の量は、微粒子がチャンバ１６内部に付着するのを防止するのに十分な量であればよい。
【００５１】
なお、図に示したチャンバ１６の側壁に設けられている圧力計１６ｐは、チャンバ１６内の圧力を監視するためのものであり、前述のようにチャンバ１６内に供給される空気量の変動等を検知し、系内の圧力を制御するためにも用いられる。
【００５２】
図１に示すように、チャンバ１６の側方には、生成された微粒子１８を回収する回収部２０が設けられている。回収部２０は回収室２０ａと、回収室２０ａ内に設けられたフィルター２０ｂと、回収室２０ａ上部に設けられた管２０ｃを介して接続された真空ポンプ（図示されていない）と、を備える。生成された微粒子は、上記真空ポンプで吸引されることにより、回収室２０ａ内に引き込まれ、フィルター２０ｂ表面で留まった状態になって回収される。
【００５３】
次に、上述した微粒子製造装置１０の作用を述べつつ、この微粒子製造装置１０を用いて、本発明の第一の実施形態に係る、スラリーを用いた微粒子の製造方法、およびこの製造方法により生成される微粒子について説明する。
【００５４】
本実施形態に係る微粒子の製造方法では、まず、微粒子製造用材料である粉末材料を分散媒中に分散させスラリーにする。このとき、スラリー中の粉末材料と分散媒との混合比は、一例として６：４（６０％：４０％）とすることが考えられる。
また、上記スラリーにさらに、自身が燃焼する可燃性材料を添加・混合するのが好ましく、粉末材料と、分散媒と、可燃性材料との質量比を適宜選択してスラリーを調製することができる。具体的には、粉末材料と分散媒と可燃性材料との質量比は、一例として４０：３０：３０とすることが考えられるが、粉末材料と分散媒と可燃性材料との質量比を適宜変更して、スラリーを調製することができる。
【００５５】
より具体的には、粉末材料と分散媒と可燃性材料との合計質量を１００％として、粉末材料はその内の１〜８０％、また、この残りを１００％とした場合に、分散媒はその内の１〜９９％、可燃性材料はその内の９９〜１％の範囲内で、かつ、合計質量が常に１００％となる範囲内で適宜変更してもよい。
【００５６】
ここで、粉末材料は、熱プラズマ炎により蒸発させられるものであれば、その種類を問わないが、好ましくは、以下のものがよい。すなわち、原子番号３〜６，１１〜１５，１９〜３４，３７〜５２，５５〜６０，６２〜７９および８１〜８３の元素よりなる群から選ばれる少なくとも１種を含む、単体酸化物，複合酸化物，複酸化物，酸化物固溶体，金属，合金，水酸化物，炭酸化合物，ハロゲン化物，硫化物，窒化物，炭化物，水素化物，金属塩または金属有機化合物を適宜選択すればよい。
【００５７】
なお、単体酸化物とは酸素以外に１種の元素からなる酸化物をいい、複合酸化物とは複数種の酸化物から構成されるものをいい、複酸化物とは２種以上の酸化物からできている高次酸化物をいい、酸化物固溶体とは異なる酸化物が互いに均一に溶け合った固体をいう。また、金属とは１種以上の金属元素のみで構成されるものをいい、合金とは２種以上の金属元素から構成されるものをいい、その組織状態としては、固溶体，共融混合物，金属間化合物あるいはそれらの混合物をなす場合がある。
【００５８】
また、水酸化物とは水酸基と１種以上の金属元素から構成されるものをいい、炭酸化合物とは炭酸基と１種以上の金属元素から構成されるものをいい、ハロゲン化物とはハロゲン元素と１種以上の金属元素から構成されるものをいい、硫化物とは硫黄と１種以上の金属元素から構成されるものをいう。また、窒化物とは窒素と１種以上の金属元素から構成されるものをいい、炭化物とは炭素と１種以上の金属元素から構成されるものをいい、水素化物とは水素と１種以上の金属元素から構成されるものをいう。また、金属塩は少なくとも１種以上の金属元素を含むイオン性化合物をいい、金属有機化合物とは１種以上の金属元素と少なくともＣ，Ｏ，Ｎ元素のいずれかとの結合を含む有機化合物をいい、金属アルコキシドや有機金属錯体等が挙げられる。
【００５９】
例えば、単体酸化物としては、酸化チタン（ＴiＯ２），酸化ジルコニウム（ＺrＯ２），酸化カルシウム（ＣaＯ），酸化珪素（ＳiＯ２），酸化アルミニウム（アルミナ：Ａl２Ｏ３），酸化銀（Ａg２Ｏ），酸化鉄、酸化マグネシウム（ＭgＯ），酸化マンガン（Ｍn３Ｏ４），酸化イットリウム（Ｙ２Ｏ３），酸化セリウム、酸化サマリウム，酸化ベリリウム（ＢeＯ），酸化バナジウム（Ｖ２Ｏ５），酸化クロム（Ｃr２Ｏ３），酸化バリウム（ＢaＯ）などを挙げることができる。
【００６０】
また、複合酸化物としては、アルミン酸リチウム（ＬiＡlＯ２），バナジウム酸イットリウム，リン酸カルシウム，ジルコン酸カルシウム（ＣaＺrＯ３），ジルコン酸チタン鉛，酸化チタン鉄（ＦeＴiＯ３），酸化チタンコバルト（ＣoＴiＯ３）等を、複酸化物としては、錫酸バリウム（ＢaＳnＯ３），（メタ）チタン酸バリウム（ＢaＴiＯ３），チタン酸鉛（ＰbＴiＯ３），チタン酸バリウムに酸化ジルコニウムと酸化カルシウムが固溶した固溶体などを挙げることができる。
さらに、水酸化物としてはＺr（ＯＨ）４、炭酸化合物としてはＣaＣＯ３、ハロゲン化物としてはＭgＦ２、硫化物としてはＺnＳ、窒化物としてはＴiＮ、炭化物としてはＳiＣ、水素化物としてはＴiＨ２等を挙げることができる。
【００６１】
また、ここで用いる可燃性材料は、熱プラスマ炎２４を安定させるような作用を有するもので、沸点が２０℃〜４００℃であるものが好ましい。具体的には、例えば、ケロシン，ガソリン，オクタン，アルコール類等を使用することができる。この可燃性材料を粉末材料が分散した分散媒中に導入することにより、反応場の温度が上昇し反応が促進されることに加え、可燃性材料自身の燃焼により炎が拡大されるため、反応に用いる熱プラズマ炎２４が可燃性材料を用いない場合より安定し、安定した連続運転を実施することができる。
【００６２】
なお、前述の通り、この可燃性材料としては、液体状のみならず、各種の固体状のものも使用可能である。固体状の可燃性材料を使用する場合には、固体状の可燃性材料を溶媒（溶媒として用いられている可燃性材料を含む）中に分散ないし溶解させて用いることが好ましい。
【００６３】
さらに、スラリー１４ａを作成する際に、界面活性剤，高分子，カップリング剤よりなる群より選ばれる１種または２種以上の混合物を添加してもよい。界面活性剤としては、例えばノニオン性界面活性剤であるソルビタン脂肪酸エステル、高分子としては、例えばポリアクリル酸アンモニウム、カップリング剤としては、例えばシランカップリング剤等が用いられる。界面活性剤、高分子、カップリング剤よりなる群より選ばれる１種または２種以上の混合物をスラリー１４ａに添加することにより、粉末材料が分散媒で凝集することをより効果的に防いで、スラリー１４ａを安定化させることができる。なお、スラリー１４ａの分散媒には、例えば、水、アルコール等の液体が用いられる。
【００６４】
上記のようにして作成されたスラリー１４ａは、図１に示すように、材料供給装置１４の容器１４ｂ内に入れられ、攪拌機１４ｃで攪拌される。これにより、分散媒中の粉末材料が沈澱することを防止し、分散媒中で粉末材料が分散された状態のスラリー１４ａが維持される。なお、材料供給装置１４に粉末材料と、分散媒と、可燃性材料とを投入して、スラリーを調製してもよい。
【００６５】
次に、前述の二流体ノズル機構を用いてスラリー１４ａを液滴化させ、熱プラズマ炎２４中に導入してスラリー１４ａを蒸発させ、気相状態の混合物にする。つまり、液滴化されたスラリー１４ａは、プラズマトーチ１２内に供給されることにより、プラズマトーチ１２内に発生している熱プラズマ炎２４中に導入され、蒸発する結果、気相状態の混合物となる。
【００６６】
なお、液滴化されたスラリー１４ａが熱プラズマ炎２４中で気相状態になる必要があるため、熱プラズマ炎２４の温度は、スラリーに含まれる原材料（粉末材料）の沸点よりも高いことが必要である。一方、熱プラズマ炎２４の温度が高いほど、容易に原材料が気相状態となるので好ましいが、特に温度は限定されず、原材料に応じて温度を適宜選択してよい。例えば、熱プラズマ炎２４の温度を６０００℃とすることもできるし、理論上は、１００００℃程度に達するものと考えられる。
【００６７】
また、プラズマトーチ１２内における圧力雰囲気は、大気圧以下であることが好ましい。ここで、大気圧以下の雰囲気については、特に限定されないが、例えば５Ｔｏｒｒ〜７５０Ｔｏｒｒとすることが考えられる。
【００６８】
次に、熱プラズマ炎２４中でスラリーが蒸発し気相状態となった混合物を、チャンバ１６内で急冷することにより、微粒子１８が生成される。詳しくは、熱プラズマ２４中で気相状態となった混合物が、気体射出口２８ａを介して所定の角度および供給量で熱プラズマ炎に向かって矢印Ｑで示される方向に射出される気体によって急冷され、微粒子１８が生成される。
【００６９】
生成直後の微粒子同士が衝突し、凝集体を形成することで粒径の不均一が生じると、品質低下の要因となる。これに対し、本発明に係る微粒子の製造方法においては、気体射出口２８ａを介して所定の角度および供給量で熱プラズマ炎の尾部（終端部）に向かって矢印Ｑで示される方向に射出される気体が、微粒子１８を希釈することで、微粒子同士が衝突し凝集することを防止する。つまり、気体射出口２８ａから射出された気体が、上記気相状態の混合物を急冷し、さらに、生成した微粒子の凝集を防止することで、粒子径の微細化、および粒子径の均一化の両面に作用しており、このことは本発明の大きな特徴である。
【００７０】
ところで、気体射出口２８ａから射出される気体は、熱プラズマ炎２４の安定性に少なからず悪影響を与える。しかし、装置全体を連続的に運転するためには熱プラズマ炎を安定させる必要がある。このため、本実施形態に係る微粒子製造装置における気体射出口２８ａは、円周状に形成されたスリットとなっており、そのスリット幅を調節することで気体の供給量を調節することができ、中心方向に均一な気体を射出することができるので、熱プラズマ炎を安定させるのに好ましい形状を有するといえる。また、この調節は、射出される気体の供給量を変えることでも行える。
【００７１】
一方、導入気体は、気体射出口２８ｂを介してチャンバ１６内壁に沿って、図１に示す矢印Ｒの方向に上部から下部へも射出される。これによって、微粒子の回収の過程において、微粒子１８がチャンバ１６の内壁に付着することを防止し、生成した微粒子の収率を向上させることができる。
最終的に、チャンバ１６内で生成した微粒子は、管２０ｃに接続された真空ポンプ（図示されていない）により吸引され、回収部２０のフィルター２０ｂで回収される。
【００７２】
ここで、キャリアガスまたは噴霧ガスとしては、一般には、空気，窒素，アルゴンまたは水素等の使用が考えられるが、生成される微粒子が酸化物微粒子の場合には、キャリアガスまたは噴霧ガスとして酸素を用いるとよい。
【００７３】
本実施形態に係る製造方法により製造される微粒子は、その粒度分布幅が狭い、すなわち、均一な粒径を有し、粗大粒子の混入が少なく、具体的には、その平均粒径が１〜１００ｎｍである。本実施形態に係る微粒子の製造方法では、例えば単体無機物，単体酸化物，複合酸化物，複酸化物，酸化物固溶体，金属，合金，水酸化物，炭酸化合物，燐酸化合物，ハロゲン化物，硫化物，単体窒化物，複合窒化物，単体炭化物，複合炭化物または水素化物等の微粒子を製造することができる。
【００７４】
本実施形態に係る微粒子の製造方法では、プラズマガス，キャリアガスおよび供給原材料に由来するガスからなり、回収部に備えられた真空ポンプの排気動作等によりチャンバ内に生み出される気流によって、熱プラズマ炎から気相状態の混合物を十分に離れた場所に導くことで実現される冷却のみならず、熱プラズマ炎の尾部（終端部）に向けて射出される気体により、気相状態の混合物を急冷することができる。
【００７５】
さらに、上記射出される気体は、気相状態の混合物が急冷され凝固することによって生成される微粒子同士が、衝突して凝集することを防ぐことができる。つまり、本発明の製造方法は、気相状態の混合物を急冷する過程、および生成された微粒子の凝集を防ぐ過程を有しているために、粒径が微細かつ均一で、品質の良い高純度の微粒子を高い生産性で製造することができるものである。
【００７６】
また、生成する粒子が、単体酸化物，複合酸化物，複酸化物，水酸化物，燐酸化合物または酸化物固溶体である場合においては、還元性雰囲気あるいは不活性雰囲気である必要がなく、上記気体として空気が使用可能である。この場合、アルゴン等の高価な気体を使用するよりも低コストで微粒子を製造することができる。また、空気を使用し、チャンバ１６内に導入する気体の量を増加させて、急冷効果、凝集防止効果、および付着防止効果を促進することで、品質の良い高純度の微粒子を高い生産性で製造することが可能である。
【００７７】
本実施形態に係る製造方法のように、粉末材料が分散媒中に分散された状態では、粉末材料の凝集が解消され、分散媒中で原材料の粒子が分散した状態となっている。このような分散媒中に可燃性材料を導入することにより、反応温度が上昇し、熱プラズマ炎発生領域が拡大される。この作用を受けて、反応が促進され、粉末材料の蒸発量が増加することにより、本実施形態に係る製造方法では、生成される微粒子の回収率が増加する。さらに、可燃性材料の燃焼による炎の発生により、熱プラズマ炎発生領域が拡大し、熱プラズマ炎の安定性が得られるため、安定した連続運転を実施することができる。
【００７８】
さらに、粉末材料はスラリー１４ａにされるので、微粒子の原材料となる金属塩を溶液に溶解させて溶解液とする場合のように、原材料の溶解度による制限がない。つまり、スラリー１４ａは、液中に、その溶解度以上の量の粉末材料を混入させることができる。このため、生成される微粒子の量産性を増大させることができる。
【００７９】
〔第二の実施形態〕
次に、本発明の第二の実施形態として、コロイド溶液を用いて微粒子を製造する製造方法について説明する。
【００８０】
前述の通り、本明細書中では、スラリーとコロイド溶液の差異は、主として、液体中に分散されている粒子の大きさや形状にあるものとしている。コロイド粒子は、必ずしも一般的な粒子の形状でなくてもよく、非晶質であってもよい。従って、本実施形態に係る微粒子の製造方法に用いる微粒子製造装置は、上述した第一の実施形態で使用した微粒子製造装置（図１参照）と同様の構成をとることができる。そこで、上述した微粒子製造装置を用いる微粒子の製造方法について、以下に説明する。
【００８１】
本実施形態に係る微粒子の製造方法におけるコロイド溶液の調製方法としては、例えば、各種の金属アルコキシドを原料として用いるゾル−ゲル法（金属アルコキシド法または単にアルコキシド法と呼ばれる）が挙げられる。ここで使用する溶媒としては、アルコール系溶媒（エタノール，プロパノール等）が好適に用い得る。ゾル−ゲル法以外に、共沈法やエマルジョン法など様々な液相合成法で、コロイド溶液を調製することができる。
【００８２】
金属アルコキシドとしては、種々の金属を原料とするものが市販されており、例えば、Ｓi、Ｔi，Ｚr，Ａl等、あるいはＬa−Ａl，Ｍg−Ａl，Ｎi−Ａl，Ｚr−Ａl，Ｂa−Ｚr（二金属アルコキシド）等を原料とするものが挙げられる。これらの金属アルコキシドは、通常は固体であるが、液体の場合もある。
【００８３】
可燃性材料（可燃性溶媒）を用いる場合には、前記実施形態の説明中で説明した各種のものが好適に用い得る。この可燃性材料を上述のコロイド溶液と混合することにより、反応温度が上昇し反応が促進されることに加え、可燃性材料自身の燃焼により炎が拡大されるため、反応に用いる熱プラズマ炎がより安定することにより、安定した連続運転を実施することが可能になる。
【００８４】
上述したように、微粒子製造用材料と、溶媒と、可燃性材料とを分散・混合して調製されたコロイド溶液を、図１に示す材料供給装置１４の容器１４ｂに投入し、攪拌機１４ｃで十分に攪拌する。これにより、コロイド溶液中における分散状態が良好に維持される。なお、微粒子製造用材料と、溶媒と、可燃性材料とを容器１４ｂに投入し、上記コロイド溶液を材料供給装置１４で調製するようにしてもよい。
【００８５】
以後は、前述の実施形態に示した、粉末材料をスラリーにして使用した微粒子の製造方法と同様の方法（気体導入条件を含めて）で微粒子を生成する。
本実施形態に係る微粒子の製造方法により製造される微粒子は、その粒度分布幅が狭い、すなわち均一な粒径を有し、粗大粒子の混入が少なく、具体的には、その平均粒径は３〜７０ｎｍである。
【００８６】
本実施形態に係る微粒子の製造方法によっても、例えば酸化物微粒子、より詳しくは、単体酸化物，複合酸化物，複酸化物，酸化物固溶体等の微粒子を製造することができる。また、さらに、金属，合金，水酸化物，炭酸化合物，ハロゲン化物，硫化物，窒化物，炭化物，水素化物，金属塩または金属有機化合物等を原材料とする化学変化を伴う微粒子も製造することができる。
【００８７】
〔第三の実施形態〕
次に、本発明の第三の実施形態として、溶媒に原材料を溶解させた溶液を使用する微粒子の製造方法について説明する。なお、本実施形態において使用する原材料（微粒子製造用材料）の形態は、固体，液体、その他どのようなものであっても構わない。
本実施形態に係る微粒子の製造方法に用いる微粒子製造装置も、前述した第一の実施形態で使用した微粒子製造装置（図１参照）と同様の構成をとることができる。そこで、上述した微粒子製造装置を用いる微粒子の製造方法について、以下に説明する。
【００８８】
本実施形態に係る微粒子の製造方法では、まず、原材料を溶媒中に溶解させて溶液にする。前述の通り、ここでいう溶液とは、イオン化している状態にあるものを、過飽和状態となって析出物が存在している状態をも含めて呼んでいる。ここで使用する溶媒としては、水，酸，アルカリ，アルコール，ケトン，エーテル等が好適に用い得る。また、原材料は、使用する溶媒に溶解するものであるため、使用する溶媒によって制限されるが、硝酸塩，酢酸塩，アンモニウム塩，水酸化物，金属アルコキシド，有機金属錯体等が用い得る。なお、ここで、原材料として金属塩または金属アルコキシドを使用して、それらの微粒子を生成するのが好ましい。
【００８９】
上述のように溶液を調製する場合、その濃度は飽和溶解度、あるいはこれをある程度まで超えた濃度（過飽和状態）まで濃くすることができる。また、この溶液に可燃性材料を添加・混合することができる。原材料と、溶媒並びに可燃性材料の混合比については前述の通りである。
【００９０】
なお、原材料として金属塩または金属アルコキシドを用いる場合は、これらを溶媒中に溶解させることで溶液を調製する。溶液中の金属塩または金属アルコキシドの濃度は、飽和溶解度まで濃くすることができる。また、この溶液に、可燃性材料を添加・混合することもできる。このときの金属塩または金属アルコキシドと溶媒並びに可燃性材料の混合比（質量比）については、適宜選択してよく、具体的には、金属塩または金属アルコキシドと溶媒と可燃性材料の質量比を、例えば１０：５０：４０とするとよい。
【００９１】
ここで、金属塩としては、原子番号３〜６，１１〜１５，１９〜３４，３７〜５２，５５〜６０，６２〜７９および８１〜８３の元素よりなる群から選ばれる少なくとも１種の金属元素を含むイオン性化合物から選択すればよい。具体的には、硝酸アルミニウム，硝酸亜鉛，硝酸イットリウム，硝酸ジルコニウム、酢酸ジルコニウム，塩化チタン等を挙げることができる。
また、上記溶媒としては、例えば水，メタノール，エタノール，アセトン等を用いればよい。
【００９２】
上記金属アルコキシドについては、所望のものを適宜選択すればよく、例えば、溶媒に溶解させる金属アルコキシドとしては、Ｓi系（テトラエトキシシラン）やＴi系（テトライソプロポキシシラン）を挙げることができる。また、その溶媒としては、アルコール系溶媒（例えば、エタノールやプロパノール等）を用いればよい。
【００９３】
また、可燃性材料については、前記実施形態の説明中で説明した各種のものが好適に用い得る。この可燃性材料と金属塩溶液とを混合することにより、反応温度が上昇し反応が促進されることに加え、可燃性材料自身の燃焼により炎が拡大されるため、反応に用いる熱プラズマ炎がより安定することにより、安定した連続運転を実施することができる。
【００９４】
上述したように、微粒子製造用材料である金属塩と、溶媒と、可燃性材料とを混合して調製された溶液を、図１に示す材料供給装置１４の容器１４ｂに投入し、攪拌機１４ｃで十分に攪拌する。これにより、金属塩と可燃性材料が均一に分散された状態である溶液が維持される。なお、金属塩と、溶媒と、可燃性材料を容器１４ｂに投入し、上記溶液を材料供給装置１４で調製してもよい。
【００９５】
以後は、前述の実施形態に示した、粉末材料をスラリーにして使用した微粒子の製造方法と同様の方法で微粒子を生成する。
本実施形態に係る微粒子の製造方法により製造される微粒子は、その粒度分布幅が狭い、すなわち、均一な粒径を有し、粗大粒子の混入が少なく、具体的には、平均粒径は、３〜１００ｎｍである。本実施形態に係る微粒子の製造方法では、例えば金属、単体酸化物、複合酸化物、複酸化物、酸化物固溶体、単体窒化物、複合窒化物、単体炭化物、または複合炭化物等の微粒子を製造することができる。
【００９６】
また、本実施形態に係る微粒子の製造方法では、粉末材料を溶媒中に溶解させた溶液を使用するために、微粒子を製造する際の原料となる金属を容易に分散させることができ、その分散性も非常に高い。従って、より微細でかつ均一な粒径を有する微粒子を生成することができる。
【００９７】
〔第四の実施形態〕
また、本発明の第四の実施形態として、粉末材料を（溶媒等を用いずに）分散させて熱プラズマ炎中に導入する微粒子の製造方法について説明する。
なお、本実施形態に係る微粒子製造装置と、上述した第一〜第三の実施形態における微粒子製造装置とは、材料供給装置を除きその構成を同様のものとすることができる。また、微粒子の製造方法に関しても、同様である。
【００９８】
本実施形態では、上述した第一〜第三の実施形態において使用した微粒子製造装置（図１参照）の材料供給装置１４を、粉末材料を使用するのに適した装置に変更した微粒子製造装置を使用して、微粒子を製造する。但し、ここでも、上述した第一〜第三の実施形態と同様に、粉末材料が熱プラズマ炎中に導入される際に、分散されている必要がある。
【００９９】
そこで、本実施形態における材料供給装置は、粉末材料を分散状態（いわゆる、一次粒子の状態）に維持しつつ定量的にプラズマトーチ内部の熱プラズマ炎中に導入することができるものが好ましい。そのような機能を有する材料供給装置として、例えば特許第３２１７４１５号公報に開示されている粉体分散装置のような装置が利用可能である。
以下、まず、本実施形態に用いる微粒子製造装置について説明する。
【０１００】
図５に、微粒子製造用材料として粉末材料を使用する場合の材料供給装置１４０の概略構成を示した。図５に示す材料供給装置１４０は、主に、粉末材料を貯蔵する貯蔵槽１４２と、粉末材料を定量搬送するスクリューフィーダ１６０と、スクリューフィーダ１６０で搬送された微粒子が最終的に散布される前に、これを一次粒子の状態に分散させる分散部１７０とから構成されている。
【０１０１】
貯蔵槽１４２には、図示されていないが、排気用配管および給気用配管が設けられる。また、貯蔵槽１４２はオイルシール等で密封された圧力容器であり、内部の雰囲気を制御することができるように構成されている。また、貯蔵槽１４２の上部には粉末材料を導入する導入口（図示されていない）が設けられており、粉末材料１４４が導入口から貯蔵槽１４２内部に投入され、貯蔵される。
【０１０２】
貯蔵槽１４２の内部には、貯蔵された粉末材料１４４の凝集を防止するために、攪拌軸１４６とそれに接続された攪拌羽根１４８とが設けられる。攪拌軸１４６は、オイルシール１５０ａと軸受け１５２ａとによって、貯蔵槽１４２内で回転可能に配設されている。また、貯蔵槽１４２外部にある攪拌軸１４６の端部は、モータ１５４ａに接続されており、図示しない制御装置によってその回転が制御される。
【０１０３】
貯蔵槽１４２の下部には、スクリューフィーダ１６０が設けられ、粉末材料１４４の定量的な搬送を可能にする。スクリューフィーダ１６０は、スクリュー１６２と、スクリュー１６２の軸１６４と、ケーシング１６６と、スクリュー１６２の回転動力源であるモータ１５４ｂとを含み構成されている。スクリュー１６２および軸１６４は、貯蔵槽１４２内の下部を横切って設けられている。軸１６４は、オイルシール１５０ｂと軸受け１５２ｂとによって貯蔵槽１４２内で回転可能に配設されている。
【０１０４】
また、貯蔵槽１４２外部にある軸１６４の端部は、モータ１５４ｂに接続されており、図示しない制御装置によってその回転が制御される。さらに、貯蔵槽１４２の下部の開口部と、後述する分散部１７０とを接続し、スクリュー１６２を包む筒状通路であるケーシング１６６が設けられる。ケーシング１６６は、後述する分散部１７０の内部途中まで延設されている。
【０１０５】
図５に示すように、分散部１７０は、ケーシング１６６の一部に外挿固定された外管１７２と、軸１６４の先端部に植設された回転ブラシ１７６を有し、スクリューフィーダ１６０によって定量搬送された粉末材料１４４を一次分散させることができる。
外管１７２の外挿固定された端部と反対の端部は、その形状が円錐台形状であり、その内部にも円錐台形状の空間である粉体分散室１７４を有する。また、その端部には分散部１７０で分散された粉末材料を搬送する搬送管１８２が接続される。
【０１０６】
ケーシング１６６の先端が開口し、その開口部を越えて外管１７２内部の粉体分散室１７４まで軸１６４が延設され、軸１６４の先端には回転ブラシ１７６が設けられる。外管１７２の側面には気体供給口１７８が設けられており、また、ケーシング１６６の外壁と外管１７２の内壁とによって設けられる空間は、導入された気体が通過する気体通路１８０としての機能を有する。
【０１０７】
回転ブラシ１７６は、ナイロン等の比較的柔軟な材質、あるいは鋼線等の硬質な材質からなる針状部材で、ケーシング１６６の先端部近傍の内部から粉体分散室１７４の内部まで、軸１６４の径外方に延出して密集植設されることによって形成される。このときの上記針状部材の長さは、ケーシング１６６内の周壁に針状部材の先端部が当接する程度の長さである。
【０１０８】
分散部１７０では、分散・搬送用の気体が、図示しない圧力気体供給源から気体供給口１７８、気体通路１８０を通って回転ブラシ１７６の径方向外側から回転ブラシ１７６に噴出され、定量的に搬送される粉末材料１４４が、回転ブラシ１７６の針状部材間を通過することで一次粒子に分散される。
【０１０９】
ここで、粉体分散室１７４の円錐台形の母線と軸１６４とのなす角度が、３０°程度の角度をなすように設けられている。また、粉体分散室１７４の容積は小さいほうが好ましく、容積が大きいと回転ブラシ１７６で分散された粉末材料１４４が搬送管１８２に入る前に分散室の内壁に付着し、これが再飛散するために供給される分散粉体の濃度が一定しなくなるという問題を生じる。
【０１１０】
搬送管１８２は、その一端は外管１７２と接続され、他端はプラズマトーチ１２に接続される。また、搬送管１８２は、その管径の１０倍以上の管長を有し、少なくとも途中に分散粉体を含む気流が流速２０ｍ／ｓｅｃ以上になる管径部分を設けることが好ましい。これにより分散部１７０で一次粒子の状態に分散された粉末材料１４４の凝集を防止し上記の分散状態を維持したまま、粉末材料１４４をプラズマトーチ１２内部に散布することができる。
【０１１１】
本実施形態に係る微粒子の製造装置は、上述したような材料供給装置１４０が図１，図２に示すプラズマトーチ１２に接続されることを除き、第一〜第三の実施形態における装置構成と同様の構成を有するので、これを用いて本実施形態における微粒子の製造方法を実施することができる。
【０１１２】
次に、本実施形態における微粒子の製造方法について説明する。
微粒子製造用材料として使用する粉末材料には、自身が燃焼することで熱プラズマ炎を安定化させる可燃性材料を添加・混合することができる。このとき、粉末材料と可燃性材料との質量比を適宜選択してよく、より具体的には粉末材料と可燃性材料の質量比を例えば、９５：５にするとよい。
ここで、粉末材料は、熱プラズマ炎中で蒸発させることができるものであり、その粒径が１０μｍ以下である粉末材料であることが好ましい。
【０１１３】
また、粉末材料としては、前述の各実施形態において用いたのと略同様に、原子番号３〜６、１１〜１５，１９〜３４，３７〜５２，５５〜６０，６２〜７９および８１〜８３の元素よりなる群から選択される少なくとも一種を含む、単体酸化物，複合酸化物，複酸化物，酸化物固溶体，金属，合金，水酸化物，炭酸化合物，ハロゲン化物，硫化物，窒化物，炭化物，水素化物，金属塩または金属有機化合物を適宜選択すればよい。
例えば、グラファイト，酸化チタン，酸化アルミニウム，アルミニウム，シリカ，シリコン等を挙げることができる。
【０１１４】
可燃性材料としては、生成される微粒子中に不純物として残らない元素、例えば、Ｃ，Ｈ，Ｏ，Ｎで構成されるものが好適に用い得る。具体的には、クエン酸，グリセリン，エチレングリコール等を用いることができる。
【０１１５】
上述したような粉末材料と可燃性材料との混合物が均一に混ざるように十分に攪拌し、上記混合物を材料供給装置１４０の貯蔵槽１４２に投入する。ここで、粉末材料と可燃性材料とを貯蔵槽１４２に投入した後に十分に攪拌してもよい。上記混合物がプラズマトーチ１２内の熱プラズマ炎２４中に散布される。散布された粉末材料が、蒸発し気相状態の混合物となり、その後、気体導入装置２８によって導入され気体射出口２８ａから所定の角度および所定の供給量で射出された気体によって、上記気相状態の混合物が急冷され、微粒子が生成される。本態様における微粒子の製造方法では、粒径が微細かつ均一な微粒子を高い生産性で製造することができる。
【０１１６】
以下に、第一〜第四の上記各実施形態について、具体的実施例を説明する。
【０１１７】
〔実施例１〕
まず、本発明の第一の実施形態に係る装置を用い、原材料としてスラリーを使用した際の実施例を説明する。
【０１１８】
第一の実施形態に係る微粒子の製造方法により、酸化アルミニウム（Ａｌ２Ｏ３）の微粒子を製造した。まず、粉末材料，分散剤（ソルビタン脂肪酸エステル），分散媒としてのアルコールとを混合し、それらと直径０．５ｍｍのジルコニアビーズをビーズミル（寿工業株式会社製）に投入し、この混合溶液を粉砕処理した。このとき、粉末材料として酸化アルミニウムを用い、質量比が粉末材料：分散剤：アルコール＝６５：１：３４となるように混合したものを用いた。
【０１１９】
粉砕した粉末材料と分散剤を含むアルコール混合液に、さらにケロシン（和光純薬工業株式会社製、ケロシン（Ｓｐ．Ｇｒ．０.７８〜０.７９））を混入させ攪拌し、酸化アルミニウムの原料となるスラリーを作成した。このとき、可燃性材料であるケロシンと、上述の粉砕処理した原材料（粉末材料）と分散剤を含むアルコール混合液との総質量に対するケロシン量を３０［ｗｔ％］としてスラリー１４ａを作成した。
【０１２０】
また、プラズマトーチ１２の高周波発振用コイル１２ｂには、約４ＭＨｚ，約８０ｋＶＡの高周波電圧を印加し、プラズマガスとして、アルゴンガス４０リットル／ｍｉｎ、酸素５０リットル／ｍｉｎの混合ガスを用い、プラズマトーチ１２内にアルゴン−酸素熱プラズマ炎を発生させた。なお、ここでは、反応温度が約８０００℃になるように制御し、材料供給装置１４の噴霧ガス供給源１４ｅからは、１０リットル／ｍｉｎの噴霧ガスを供給した。
【０１２１】
酸化アルミニウム（Ａｌ２Ｏ３）のスラリーを、噴霧ガスであるアルゴンガスとともに、プラズマトーチ１２内の熱プラズマ炎２４中に導入した。
【０１２２】
気体導入装置２８によって、チャンバ内に導入される気体としては、空気を使用した。このときのチャンバ内流速は５ｍ／ｓｅｃで、導入量は，１ｍ３／ｍｉｎとした。また、上記空気を射出する際の、前述の角度αを１３５°、角度βを０°とした。
【０１２３】
上記のようにして生成された酸化アルミニウム（Ａｌ２Ｏ３）微粒子の比表面積（１グラムあたりの表面積）から換算した粒子径は、１５ｎｍであった。また、生成された微粒子の収率は、投入した粉末材料１００ｇあたりに回収された前記微粒子の量が５０ｇであったことから、５０％であった。
【０１２４】
〔実施例２〕
次に、先に説明した図１に示した微粒子製造装置を用い、原材料としてコロイド溶液を使用した際の実施例を説明する。
【０１２５】
本実施例では、第二の実施形態に係る微粒子の製造方法により、酸化アルミニウム（Ａl２Ｏ３）の微粒子を製造した。コロイド溶液の調製には、Ａlアルコキシドを原料として用い、ゾル−ゲル法を用いた。溶媒としては、エタノールを使用した。また、可燃性材料としては、実施例１で用いたのと同じケロシン（和光純薬工業株式会社製、ケロシン（Ｓp．Ｇr．０.７８〜０.７９））を用いた。ケロシンの添加量は、粉末材料を含むエタノール混合液の総質量に対するケロシン量［ｗｔ％］で１５［ｗｔ％］とした。
【０１２６】
上記微粒子製造用材料と、溶媒と、可燃性材料とを分散・混合して調製されたコロイド溶液を、図１に示す原材料供給装置１４の容器１４ｂに投入し、攪拌機１４ｃで十分に攪拌した。
以後は、実施例１と同様の方法で微粒子を生成させた。また、プラズマトーチの駆動条件等も、実施例１と同様とした。
本実施例において製造される微粒子の平均粒径は、１５ｎｍであった。また、生成された微粒子の収率は、投入した粉末材料１００ｇあたりに回収された前記微粒子の量が５５ｇであったことから、５５％であった。
【０１２７】
〔実施例３〕
次に、第三の実施形態に係る装置を用い、原材料として金属塩を溶媒中に溶解させた溶液を使用した際の実施例を説明する。
【０１２８】
第三の実施形態に係る微粒子の製造方法により、酸化アルミニウム（Ａｌ２Ｏ３）の微粒子を製造した。まず、金属塩である硝酸アルミニウム（Ａｌ（ＮＯ３）３）を水に溶解させ、２０ｗｔ％の硝酸アルミニウム溶液を調製した。なお、金属塩としては、酢酸塩，塩化物，水酸化物，蓚酸塩，炭酸塩，アンモニウム塩なども用い得る。
なお、可燃性材料としては、実施例１で用いたのと同じケロシン（Ｓｐ．Ｇｒ．０.７８〜０.７９）を用いた。ケロシンの添加量は、粉末原料を含む水溶液の総質量に対するケロシン量［Ｗt％］で１５［Ｗt％］とした。
【０１２９】
また、プラズマトーチ１２の高周波発振用コイル１２ｂには、約４ＭＨｚ、約８０ｋＶＡの高周波電圧を印加し、プラズマガスとしてアルゴンガス４０リットル／ｍｉｎ，酸素５０リットル／ｍｉｎの混合ガスを用い、プラズマトーチ１２内にアルゴン−酸素熱プラズマ炎を発生させた。また、反応温度が約８０００℃になるように制御し、材料供給装置１４の噴霧ガス供給源１４ｅからは１０リットル／ｍｉｎの噴霧ガスを供給した。
【０１３０】
原料である２０ｗｔ％−硝酸アルミニウム溶液は、噴霧ガスであるアルゴンガスと共に、プラズマトーチ１２内の熱プラズマ炎中に導入された。
なお、気体導入装置によって、チャンバ内に導入される気体の導入量、並びに射出条件は、実施例１の場合と同じとしている。
【０１３１】
上記のようにして生成された酸化アルミニウム微粒子の比表面積から換算した粒子径は１０ｎｍであった。また、生成された微粒子の収率に関しては、投入した粉末材料の量１００ｇあたりの回収した前記微粒子の量は１７ｇであったであったことから、１７％であった。
【０１３２】
〔実施例４〕
次いで、第四の実施形態に示した装置を用い、原材料として粉末材料をそのまま使用した際の実施例を説明する。
【０１３３】
第四の実施形態に係る微粒子の製造方法により、複酸化物、すなわち二種類以上の酸化物から構成される高次酸化物微粒子である、チタン酸バリウム（ＢａＴiＯ３）微粒子を製造した。なお、ここでは、チタン酸バリウム（ＢａＴiＯ３）が、熱プラズマ炎中で容易に蒸発するように、粒径が１０μｍ以下の粉末材料を使用した。
【０１３４】
また、プラズマトーチ１２の高周波発振用コイル１２ｂには、約４ＭＨｚ、約８０ｋＶＡの高周波電圧を印加し、プラズマガスとしてアルゴンガス４０リットル／ｍｉｎ、酸素５０リットル／ｍｉｎの混合ガスを用い、プラズマトーチ１２内にアルゴン−酸素熱プラズマ炎を発生させた。また、反応温度が約８０００℃になるように制御し、材料供給装置１４の噴霧ガス供給源１４ｅからは１０リットル／ｍｉｎの噴霧ガスを供給した。
【０１３５】
チタン酸バリウム（ＢａＴiＯ３）の粉末材料は、噴霧ガスであるアルゴンガスと共に、プラズマトーチ１２内の熱プラズマ炎中に導入された。
また、気体導入装置によって、チャンバ内に導入される気体の導入量、並びに射出条件は、実施例１の場合と同じとしている。
【０１３６】
上記のようにして生成されたチタン酸バリウム微粒子の比表面積から換算した粒子径は２０ｎｍであった。また、生成された微粒子の収率に関しては、投入した粉末材料の量１００ｇあたりの回収した前記微粒子の量が８０ｇであったことから、８０％であった。
【０１３７】
以上、本発明の微粒子の製造方法について詳細に説明したが、本発明は上記実施形態に限定されず、本発明の主旨を逸脱しない範囲において、種々の改良や変更を行ってもよいことはいうまでもない。
【図面の簡単な説明】
【０１３８】
【図１】本発明の一実施形態に係る微粒子の製造方法を実施するための微粒子製造装置の全体構成を示す模式図である。
【図２】図１中のプラズマトーチ付近の断面図である。
【図３】図１中のチャンバの天板およびこの天板に備えられた気体射出口付近を拡大して示す断面図である。
【図４】射出される気体の角度を示す説明図であり、（ａ）はチャンバの天板の中心軸を通る垂直方向の断面図であり、（ｂ）は天板を下方から見た下面図である。
【図５】粉末材料を使用する場合の材料供給装置の概略構成を示す断面図である。
【符号の説明】
【０１３９】
１０  微粒子製造装置
１２  プラズマトーチ
１２ａ  石英管
１２ｂ  高周波発振用コイル
１２ｃ  プラズマガス導入口
１４  材料供給装置
１４ａ  スラリー
１４ｂ  容器
１４ｃ  攪拌機
１４ｄ  ポンプ
１４ｅ  噴霧ガス供給源
１４ｆ  導入管
１６  チャンバ
１６ｐ  圧力計
１７  天板
１７ａ  内側部天板部品
１７ｂ  下部天板部品
１７ｃ  上部外側部天板部品
１７ｄ  通気路
１８  微粒子
２０  回収部
２０ａ  回収室
２０ｂ  フィルター
２０ｃ  管
２２  プラズマガス供給源
２４  熱プラズマ炎
２６  管
２８  気体導入装置
２８ａ  気体射出口
２８ｂ  気体射出口
２８ｃ  コンプレッサ
２８ｄ  気体供給源
２８ｅ  管
１４０  材料供給装置
１４２  貯蔵槽
１４４  粉末材料
１４６  攪拌軸
１４８  攪拌羽根
１５０ａ、１５０ｂ  オイルシール
１５２ａ、１５２ｂ  軸受け
１５４ａ、１５４ｂ  モータ
１６０  スクリューフィーダ
１６２  スクリュー
１６４  軸
１６６  ケーシング
１７０  分散部
１７２  外管
１７４  粉体分散室
１７６  回転ブラシ
１７８  気体供給口
１８０  気体通路
１８２  搬送管
【図１】
2006247446.tif 000003
【図２】
2006247446.tif 000004
【図３】
2006247446.tif 000005
【図４】
2006247446.tif 000006
【図５】
2006247446.tif 000007